(57)【要約】【課題】  ジョグダイアルのみの回転操作によってカーソルを上下，左右方向に自在に移動操作することのできる電子システム手帳等の情報処理端末装置及びその操作方法を得る。【解決手段】  端末本体部に表示画面２を有し、端末本体部に備えたジョグダイアルの回転操作によって表示画面２上をカーソルが上下又は左右の一方向に移動する端末装置において、端末本体部には、カーソルの移動方向を選択する機能有効／無効モード設定手段を有し、ジョグダイアルの秒間の回転量をカウントし、ジョグダイアルの秒間の回転量が一定値を越えたとき、機能の有効モードと見なしカーソルの移動方向を変更し、ジョグダイアルの秒間の回転量が一定値を越えないときには、機能の無効モードと見なしカーソルを現在の移動方向のままにするようにした。【選択図】  図５
2005135331.tif 000002
【特許請求の範囲】
【請求項１】
端末機器本体部に表示画面を有し、上記端末機器本体部に備えた回転ダイアルの回転操作によって上記表示画面上をカーソルが上下又は左右の一方向に移動する端末装置において、
上記端末装置には、カーソルの移動方向を選択する機能有効／無効モード設定手段を有し、
上記回転ダイアルの秒間の回転量をカウントし、上記回転ダイアルの秒間の回転量が一定値を越えたとき、機能の有効モードと見なしカーソルの移動方向を変更し、
上記回転ダイアルの秒間の回転量が一定値を越えないときには、機能の無効モードと見なしカーソルを現在の移動方向のままにされるようにした
ことを特徴とする情報処理端末装置。
【請求項２】
請求項１記載の情報処理端末装置において、
カーソルの移動方向を選択する機能有効／無効モード設定手段は、上記表示画面に表示される設定画面から選択されることを特徴とする情報処理端末装置。
【請求項３】
請求項１記載の情報処理端末装置において、
上記回転ダイアルの設定された現在の移動方向が、上記表示画面のステータスバーに視覚的に表示されるようにしたことを特徴とする情報処理端末装置。
【請求項４】
端末機器本体部に表示画面を有し、上記端末機器本体部に備えた回転ダイアルの回転操作によって上記表示画面上をカーソルが上下又は左右の一方向に移動するようにした操作方法において、
カーソルの移動方向が、機能有効／無効モード設定手段により選択され、上記回転ダイアルの秒間の回転量をカウントし、上記回転ダイアルの秒間の回転量が一定値を越えたとき、カーソルの移動方向を変更し、上記回転ダイアルの秒間の回転量が一定値を越えないときには、カーソルを現在の移動方向のままにされるようにしたことを特徴とする端末装置の操作方法。
【請求項５】
請求項４記載の端末装置の操作方法において、
カーソルの移動方向を選択する機能有効／無効モード設定手段が、上記表示画面に表示される設定画面から選択されることを特徴とする端末装置の操作方法。
【請求項６】
請求項４記載の端末装置の操作方法において、
上記回転ダイアルの設定された現在の移動方向が、上記表示画面のステータスバーにより視覚的に表示されるようにしたことを特徴とする端末装置の操作方法。
【発明の詳細な説明】
【技術分野】
【０００１】
本発明は、例えば電子システム手帳等のＰＤＡ（パーソナル・デジタル・アシスタンツ）や携帯電話あるいはパソコン等、表示画面を有する情報処理端末装置とその操作方法に関し、ジョグダイアル等の回転式ダイアルのみの回転操作によってカーソルを上下，左右方向に自在に移動操作することのできる端末装置及びその操作方法を得ることにある。
【背景技術】
【０００２】
ジョグダイアルを回転操作して所定のアイコンを選択するといった入出力装置（ユーザーインターフェース：ＵＩ）が、電子システム手帳や携帯電話、パソコン等の端末装置で実現されている。例えば表示画面上に上下方向に並んで表示されている多数のアイコンから所定のアイコンを選択しようとした場合、ジョグダイアルを回転操作してカーソルを上下若しくは左右のいずれかの方向にしか移動することができない。
【０００３】
例えば、図６に示した電子システム手帳の表示画面２０を例にとると、この場合、ジョグダイアルの操作によってカーソルは左右方向にのみ移動する。例えば、今、カーソルが斜線部分で示した「ＳＭＳ」というアイコン２１にあり、このアイコン２１から一つ上段の「予定表」というアイコン２２を選択する場合には、まず、ジョグダイアルを回転させ、画面右端の「環境設定」というアイコンまで移動させる。ここから、ジョグダイアルを回転させると、カーソルは「アドレス」というアイコンに移動する。さらにジョグダイアルを回転させ、目的の「予定表」のアイコン２２まで移動する必要がある。このように上述した場合では、ジョグダイアル操作によって左右方向のカーソルの移動は可能だが上下方向には直接、カーソルを移動することはできないため、一つ上のアイコンを選択する場合、ユーザーはジョグダイアル操作を何度も行って目的のアイコンまで移動する必要があった。
【特許文献１】特開２００２−３４２０００号公報
【特許文献２】特開２００１−１３１４９号公報
【発明の開示】
【発明が解決しようとする課題】
【０００４】
ところで、〔特許文献１〕の図２（ａ），（ｂ）には、携帯端末本体１の一側面に回転ダイヤル４を設け、端末本体１の他の位置にオン／オフ操作可能な補助キー５を設けた携帯端末の技術が開示されている。この携帯端末は補助キー５をオフにした状態で回転ダイヤル４を回転操作することによって、カーソルを上下方向に移動させ、補助キー５をオンにした状態、つまり補助キー５を押しながら回転ダイヤル４を回転操作することによって、カーソルを左右方向に移動させることができるというものである。
【０００５】
しかし、上述した特許文献１の携帯端末は、カーソルを上下方向及び左右方向にも移動できるというものであるが、回転ダイヤル４の他に補助キー５が別に必要である。
【０００６】
また、〔特許文献２〕には、ジョグダイアル１２自体に切換スイッチ機能を備えることにより、カーソルを上下方向及び左右方向に切り換えるようにした携帯端末装置の技術が開示されている。しかし、この場合もジョグダイアル１２にカーソルの移動方向の切換スイッチ機能を必要としている。
【課題を解決するための手段】
【０００７】
上記の課題を解決し、本発明の目的を達成するため、本発明による請求項１記載の情報処理端末装置は、端末機器本体部に表示画面を有し、端末機器本体部に備えた回転ダイアルの回転操作によって表示画面上をカーソルが上下又は左右の一方向に移動する端末装置において、端末装置には、カーソルの移動方向を選択する機能有効／無効モード設定手段を有し、回転ダイアルの秒間の回転量をカウントし、回転量が一定値を越えたとき、機能の有効モードと見なしカーソルの移動方向を変更し、回転ダイアルの秒間の回転量が一定値を越えないときには、機能の無効モードと見なしカーソルを現在の移動方向のままにされるようにしたことを特徴とする。
【０００８】
また、本発明による請求項４記載の端末装置の操作方法は、端末機器本体部に表示画面を有し、端末機器本体部に備えた回転ダイアルの回転操作によって表示画面上をカーソルが上下又は左右の一方向に移動するようにした方法において、カーソルの移動方向が機能有効／無効モード設定手段により選択され、回転ダイアルの秒間の回転量をカウントし、回転量が一定値を越えたとき、カーソルの移動方向を変更し、回転ダイアルの秒間の回転量が一定値を越えないときには、カーソルを現在の移動方向のままにされるようにしたことを特徴とする。
【発明の効果】
【０００９】
本発明の情報処理端末装置及び操作方法によれば、従来のような補助キーや切換スイッチ等のハードウエアを併用することなく、回転ダイアルのみの回転操作によって表示画面上のカーソルを上下方向または左右方向に選択的に変更することができ、端末装置の使い勝手を向上することができるといった効果がある。
【発明を実施するための最良の形態】
【００１０】
以下、本発明による情報処理端末装置及びその操作方法の最良の形態を、携帯端末モバイルである例えば、ＰＤＡ（パーソナル・デジタル・アシスタンツ）の一つの例である電子システム手帳を例にとって図面を参照して説明する。
【００１１】
図１は電子システム手帳の全体の外観斜視図、図２及び図３は電子システム手帳の表示画面のみを示し、この例では表示画面に多数のアプリケーションのアイコンが上下左右に配列して表示されている正面図である。
【００１２】
まず、電子システム手帳の主要部の構成について説明する。
電子システム手帳は、全体が手帳本体部１と表示画面２を有する液晶表示部３とから構成され、液晶表示部３は手帳本体部１に対して２軸ヒンジ機構４により開閉可能であり、かつ液晶表示部３は図１に示したように手帳本体部１に対して直角に開放した状態から１８０°反転し、表示画面２を表面側に向けて手帳本体部１上に折り畳めるようにされる。
【００１３】
手帳本体部１には多数の入力用のキー５が配列されていると共に、ヒンジ機構４とは反対側の手帳本体部１の端部、つまりユーザーの手元側の端部には表示画面２上のカーソルを移動するための回転式ダイアルからなるジョグダイアル６が配置されている。このジョグダイアル６と同列に並んでカレンダーソフトやメールソフト、ＷＥＢブラウザ等の複数のネットワーク用のアプリケーションボタン７がある。なお、ヒンジ機構４側の手帳本体部１の一側部には回転式のカメラレンズ８が配置されている。カメラレンズ８の機能としては、静止画や動画撮影が可能であると共に、表示画面２をファインダにしてユーザー自身の撮影も可能である。なお、ここでは図示しないが電子システム手帳の左側面には電源オン／オフ用のボタンがある。
【００１４】
ここで、図２に示した表示画面２に表示されている初期画面としての上下左右に配列されている多数のアプリケーションのアイコン１１に対し、本発明の特徴部分であるジョグダイアル６を回転操作して所定のアイコンにカーソルを移動し選択する機能について説明する。
【００１５】
図２に示した表示画面２では、アプリケーションのアイコン１１に対し、ジョグダイアル６の回転操作によりカーソルが左右方向に移動されるようにした場合である。例えば、今、カーソルが斜線部分で示した「ＳＭＳ」のアイコンにある位置から一段上に位置する「予定表」のアイコンにカーソルを移動するには、ジョグダイアル６を回転してカーソルを「ＳＭＳ」から右端の「環境設定」のアイコンにまで移動し、さらに、ジョグダイアル６を回転させることでカーソルは上段左端の「アドレス」のアイコンに移動し、そして、ジョグダイアル６を回転して「予定表」のアイコンにカーソルを合わせるというものである。
【００１６】
一方、図３に示した表示画面２では、アプリケーションのアイコン１１に対し、ジョグダイアル６の回転操作によりカーソルが上下方向に移動されるようにした場合である。例えば、カーソルが斜線部分で示した「ＳＭＳ」のアイコンにある位置から一段上に位置する「予定表」のアイコンにカーソルを移動する場合、ジョグダイアル６を回転することで、「ＳＭＳ」のアイコンの直ぐ上の「予定表」のアイコンにカーソルを合わせることができるというものである。
【００１７】
すなわち、本発明はジョグダイアル６の回転操作のみでカーソルを上下方向または左右方向に選択的に変更し移動することができるというものである。このため、ジョグダイアル６はそれ自体に回転が発生したとき、カーソルの移動方向を上下方向または左右方向に変更させるかを設定する機能を手帳本体部１のソフトウエアにプログラムすることによって可能となる。
【００１８】
以下にジョグダイアル６の機能の詳細について説明する。
カーソルの移動方向を変更するための設定は本例の実施の形態では、ジョグダイアル６の秒間の回転量をカウントし、このカウント回数が一定値を越えた場合にはカーソルの移動方向の変更を有効にし、カウント回数が一定値を越えないときにはカーソルの移動方向の変更を無効にするという設定を行う。例えば、このジョグダイアル６によるカーソルの移動方向の変更を有効にするか、無効にするかの設定は図４に示した機能設定画面１２のようなチェックボックスで行う。
【００１９】
この機能設定画面１２は手帳本体部１の図示しない専用のキーを操作することによって表示画面２に表示される。機能設定画面１２の表示の仕方としては、「設定の内容を有効にする」の□マーク１３をタッチペンにより操作することによりカーソルの移動方向の変更を「有効」とし、□マーク１３を操作しないことでカーソルの移動方向の変更を「無効」とする。また、ジョグダイアル６の秒間の回転量（回転数）が数字入力欄１４に、「Ｎ」回／秒（例えば、４回／秒）として設定する。
【００２０】
次に、カーソルの移動方向を変更するか、しないかの処理の流れを図２〜図４を参照し図５に示したフローチャート図に従って説明する。ここでは、カーソルの現在の移動方向が図２で説明したように左右方向に移動しているときの状態としている。また、ユーザーがカーソルの移動方向の変更を利用したい場合、予め機能設定画面１２を利用し「設定の内容を有効にする」設定と、ジョグダイアル６の秒間の回転数「Ｎ」回を設定しておく。
【００２１】
まず、ステップ１０１において、ジョグダイアル６の回転操作の入力が行われたかをチェックする。ジョグダイアル６の回転の操作が行われなかった「ＮＯ」の場合は、再度ジョグダイアル６の操作が行われたかをチェックする繰り返しとなる。
【００２２】
ステップ１０１において、ジョグダイアル６の回転操作の入力が行われた「ＹＥＳ」の場合、ステップ１０２に進み、カーソルの移動方向を変更する機能が現在有効か、無効かをチェックする。
【００２３】
ここで、カーソルの移動方向を変更する機能が無効である「ＮＯ」の場合、ステップ１０３に進み、現在のカーソルの移動方向、つまりカーソルは左右方向にのみ移動する状態のままとなる。
【００２４】
カーソルの移動方向を変更する機能が有効である「ＹＥＳ」の場合には、ステップ１０４において、ジョグダイアル６の入力が開始されて秒間の回転数の監視が行われ、続いてジョグダイアル６の秒間の回転数をカウントし（ステップ１０５）、ジョグダイアル６の入力の終了（ステップ１０６）の監視ループを経て、ステップ１０７において、ジョグダイアル６の秒間の回転数をユーザーが設定した「Ｎ」回／秒を越えているかをチェックする。
【００２５】
ここで、ジョグダイアル６の秒間の回転数が設定値以上ない「ＮＯ」の場合であれば、ステップ１０３の現在のカーソルの移動方向である左右方向にカーソルを移動することとなり、ジョグダイアル６の秒間の回転数が設定値以上の回転数「ＹＥＳ」の場合であれば、ステップ１０８に進み、ジョグダイアル操作が現在のカーソルの移動方向である左右方向から、カーソルの移動方向を上下方向に変更することができる。
【００２６】
すなわち、本発明の電子システム手帳は、ジョグダイアルに特別なスイッチ機構を備えたり、補助的な操作キー等のハードウエアを必要とすることなく、ソフトウエアにカーソルの移動方向を設定する機能をプログラムするだけで、ジョグダイアルのみの回転操作によりカーソルの移動方向を変更することができ、短時間で目的のアイコン位置を選択することができる。また、現行のジョグダイアルだけで実現可能であるので、現コストのまま付加価値を付けることができる。
【００２７】
また、ジョグダイアルのみの回動操作によりカーソルの移動方向を上下方向あるいは左右方向に変更できる機能以外に、別の付加価値としてカーソルが現在、左右方向あるいは上下方向の移動モードであるとき、表示画面２の右端に表示されているステータスバー１５に、カーソルが左右方向であるときには図２に示すように左右方向の矢印１６を表示し、また、カーソルが上下方向であるときには図３に示すように上下方向の矢印１７を表示することによって、今のカーソルの移動方向を視覚的に認識することができ、これによって、操作方向を誤ることもなく使い勝手を向上することができる。
【００２８】
上述した実施の形態では、ジョグダイアル６の回転操作により表示画面２上のカーソルの移動方向を左右方向から上下方向に変更する場合について説明したが、カーソルの移動方向が上下方向である状態から左右方向に変更する場合は、上述した機能設定画面１２を利用し□マーク１３をチェックし、設定の内容を有効にすることによって、ジョグダイアルの回転操作によりカーソルの移動方向を左右方向に変更することも勿論、可能である。
【００２９】
また、ジョグダイアル６の秒間の回転量（回転数）のカウントは、ジョグダイアル６を一方向に回転させるのみならず、ジョグダイアル６を前後方向に「グリグリ」と振動するように回転操作することであってもよい。
【００３０】
また、ジョグダイアル６の秒間の回転量（回転数）の設定は、機能設定画面１２の数字入力欄１４にユーザーが設定できるので、使い勝手の自由さを向上するこきができる。
【００３１】
また、ジョグダイアル６は秒間の回転量（回転数）をカウントする方法によらず、ジョグダイアル６の回転速度が設定された回転速度を越えたとき、カーソルの移動方向を変更するようなことであってもよい。
【００３２】
また、上述した実施の形態では、カーソルの移動方向の変更を表示画面２上のアプリケーションのアイコンに適用した場合について説明したが、その他、表示画面２に入力された文章を修正するような場合においても、ジョグダイアルのみの操作によってカーソルの移動方向を自由に選択することができる。
【００３３】
本発明は、上述しかつ図面に示した実施の形態に限定されるものでなく、その要旨を逸脱しない範囲内で種々の変形実施が可能である。
【００３４】
本発明による情報処理端末装置は、実施の形態ではＰＤＡの一例として電子システム手帳に適用した場合について説明したが、ジョグダイアルを備えているその他のＰＤＡや携帯電話、パソコン等の端末装置にも広く適用可能である。
【図面の簡単な説明】
【００３５】
【図１】本発明における情報処理端末装置の実施の形態である電子システム手帳の外観斜視図である。
【図２】表示画面上のアプリケーションのアイコンにカーソルが左右方向に移動されるようにしている表示画面の図である。
【図３】表示画面上のアプリケーションのアイコンにカーソルが上下方向に移動されるようにしている表示画面の図である。
【図４】アイコンの移動方向を設定するための機能設定画面の図である。
【図５】ジョグダイアルによりアイコンを変更処理するためのフローチャート図である。
【図６】従来のジョグダイアルによるアイコンの機能を説明するための表示画面である。
【符号の説明】
【００３６】
１…手帳本体部、２…表示画面、３…液状表示部、４…２軸ヒンジ機構、５…入力キー、６…ジョグダイアル、１１…アイコン、１２…機能設定画面、１３…□マーク、１４…数字入力欄、１５…ステータスバー、１６，１７…アイコンの移動方向の矢印
【図１】
2005135331.tif 000003
【図２】
2005135331.tif 000004
【図３】
2005135331.tif 000005
【図４】
2005135331.tif 000006
【図５】
2005135331.tif 000007
【図６】
2005135331.tif 000008